(57)【要約】      （修正有）【課題】映像表示でのダイナミックレンジと表示輝度の調整の利便性を向上する映像表示装置を提供する。【解決手段】映像表示装置は、入力映像の第１のダイナミックレンジを最大輝度がより低い第２のダイナミックレンジに変換する変換手段（ガンマ部２）と、第２のダイナミックレンジのユーザ設定最大輝度とユーザ設定表示条件とを取得する手段（ガンマ制御部６表示輝度制御部７）と、ユーザ設定表示条件においてユーザ設定最大輝度を表示した際の最大表示輝度を取得する手段（表示輝度取得部８）と、ユーザ設定画面を生成して表示手段（表示部５）に表示させる設定画面生成手段（入出力輝度調整メニュー部９）とを有する。設定画面は、その同一画面内に、ユーザ設定最大輝度のユーザ設定に用いられる第１の設定領域と、ユーザ設定表示条件のユーザ設定に用いられる第２の設定領域とを含む。【選択図】図１
2019208129.tif 000002
【特許請求の範囲】
【請求項１】
映像を表示する表示手段と、
第１のダイナミックレンジが規定された入力映像が入力される入力手段と、
前記第１のダイナミックレンジを、該第１のダイナミックレンジより最大輝度が低い第２のダイナミックレンジに変換する変換手段と、
前記第２のダイナミックレンジの前記最大輝度のユーザ設定値であるユーザ設定最大輝度を取得する設定輝度取得手段と、
前記表示手段に対する表示条件のユーザ設定値であるユーザ設定表示条件を取得する設定条件取得手段と、
前記ユーザ設定表示条件において前記表示手段が前記ユーザ設定最大輝度を表示した際の表示輝度である最大表示輝度を取得する表示輝度取得手段と、
ユーザ設定に用いられる設定画面を生成して前記表示手段に表示させる設定画面生成手段とを有し、
前記設定画面は、その同一画面内に、前記ユーザ設定最大輝度のユーザ設定に用いられる第１の設定領域と、前記ユーザ設定表示条件のユーザ設定に用いられる第２の設定領域とを含むことを特徴とする映像表示装置。
【請求項２】
前記入力手段に、前記入力映像の輝度に関する情報を含むデータが入力され、
前記設定画面は、前記ユーザ設定最大輝度および前記ユーザ設定表示条件のうち少なくとも一方と前記入力映像の輝度に関する情報との相対関係を示す情報を表示することを特徴とする請求項１に記載の映像表示装置。
【請求項３】
前記設定画面は、前記ユーザ設定最大輝度および前記ユーザ設定表示条件のうち少なくとも一方と前記最大表示輝度との相対関係を示す情報を表示することを特徴とする請求項１または２に記載の映像表示装置。
【請求項４】
前記設定画面は、
前記第１の設定領域と前記第２の設定領域をそれぞれ、前記設定画面の横方向と縦方向のうち一方と他方に２次元に表示するとともに、
前記入力映像の輝度と前記表示輝度との関係を示すグラフを表示することを特徴とする請求項１から３のいずれか一項に記載の映像表示装置。
【請求項５】
前記表示手段は、照明光を発するとともに該照明光の強度を変更可能な照明手段と、前記照明光を変調する光変調素子とを有し、
前記表示条件は、前記照明光の強度であることを特徴とする請求項１から４のいずれか一項に記載の映像表示装置。
【請求項６】
前記表示手段は、ズームおよびフォーカスのうち少なくとも一方が可能な投射光学系を有し、
前記表示条件は、前記投射光学系のズーム位置およびフォーカス位置のうち少なくとも一方を含むことを特徴とする請求項１から５のいずれか一項に記載の映像表示装置。
【請求項７】
前記表示手段は、光軸に直交する方向へのシフトが可能な投射光学系を有し、
前記ユーザ設定表示条件は、前記投射光学系のシフト位置のユーザ設定値であることを特徴とする請求項１から５のいずれか一項に記載の映像表示装置。
【請求項８】
前記表示手段は、被投射面に画像を投射し、
前記表示条件は、前記被投射面上での投射面積および投射距離のうち少なくとも一方と相関を有する条件であることを特徴とする請求項１から５のいずれか一項に記載の映像表示装置。
【請求項９】
映像を表示する表示手段と、
第１のダイナミックレンジが規定された入力映像と該入力映像の輝度に関する情報を含むデータとが入力される入力手段と、
前記第１のダイナミックレンジを、該第１のダイナミックレンジより最大輝度が低い第２のダイナミックレンジに変換する変換手段と、
前記表示手段に対して設定された表示条件において該表示手段が前記第２のダイナミックレンジの前記最大輝度を表示した際の表示輝度である最大表示輝度を取得する表示輝度取得手段と、
前記最大表示輝度と前記入力映像の輝度に関する情報とを用いて、前記表示条件および前記第２のダイナミックレンジの最大輝度のうち少なくとも一方を制御する制御手段とを有することを特徴とする映像表示装置。
【請求項１０】
前記制御手段は、
前記最大表示輝度と前記入力映像の輝度に関する情報とが所定値を超える差を有する場合は前記表示条件を変更し、
前記最大表示輝度と前記入力映像の輝度に関する情報とが前記差を有さない場合は、前記第２のダイナミックレンジの最大輝度を前記最大表示輝度に合わせることを特徴とする請求項９に記載の映像表示装置。
【請求項１１】
前記入力映像の前記第１のダイナミックレンジに対して第１のＥＯＴＦが規定されており、
前記変換手段は、前記第１のＥＯＴＦを、前記第２のダイナミックレンジに対して規定された第２のＥＯＴＦに変換することを特徴とする請求項１から１０のいずれか一項に記載の映像表示装置。
【請求項１２】
前記第１のＥＯＴＦは、ＳＭＰＴＥ  ＳＴ２０８４であることを特徴とする請求項１１に記載の映像表示装置。
【請求項１３】
映像を表示する表示手段を有し、第１のダイナミックレンジが規定された入力映像が入力される映像表示装置の制御方法であって、
前記第１のダイナミックレンジを、該第１のダイナミックレンジより最大輝度が低い第２のダイナミックレンジに変換する処理と、
前記第２のダイナミックレンジの前記最大輝度のユーザ設定値であるユーザ設定最大輝度を取得する処理と、
前記表示手段に対する表示条件のユーザ設定値であるユーザ設定表示条件を取得する処理と、
前記ユーザ設定表示条件において前記表示手段が前記ユーザ設定最大輝度を表示した際の表示輝度である最大表示輝度を取得する処理と、
ユーザ設定に用いられる設定画面を生成して前記表示手段に表示させる処理とを含み、
前記設定画面は、その同一画面内に、前記ユーザ設定最大輝度のユーザ設定に用いられる第１の設定領域と、前記ユーザ設定表示条件のユーザ設定に用いられる第２の設定領域とを含むことを特徴とする映像表示装置の制御方法。
【請求項１４】
映像を表示する表示手段を有し、第１のダイナミックレンジが規定された入力映像と該入力映像の輝度に関する情報を含むデータとが入力される映像表示装置の制御方法であって、
前記第１のダイナミックレンジを、該第１のダイナミックレンジより最大輝度が低い第２のダイナミックレンジに変換する処理と、
前記表示手段に対して設定された表示条件において該表示手段が前記第２のダイナミックレンジの前記最大輝度を表示した際の表示輝度である最大表示輝度を取得する処理と、
前記最大表示輝度と前記入力映像の輝度に関する情報とを用いて、前記表示条件および前記第２のダイナミックレンジの最大輝度のうち少なくとも一方を制御する処理とを含むことを特徴とする映像表示装置の制御方法。
【請求項１５】
映像表示装置のコンピュータに、請求項１３または１４に記載の制御方法に従う処理を実行させることを特徴とするコンピュータプログラム。
【発明の詳細な説明】
【技術分野】
【０００１】
本発明は、プロジェクタや直視型ディスプレイ等の映像表示装置に関する。
【背景技術】
【０００２】
ＨＤＲ（高ダイナミックレンジ）映像を表示できる映像表示装置では、従来のＳＤＲ（標準ダイナミックレンジ）映像よりも実際に肉眼で見た感覚に近くなるように、従来では飽和させていた輝度を飽和させないような輝度変換特性を有する。このようなＨＤＲ映像対応映像表示装置は十分に高輝度で表示できる能力を有することが望ましいが、実際には十分な高輝度表示能力を有さないものが多い。一方、明るい視聴環境下でも視認し易いように、ＳＤＲ映像のダイナミックレンジの最大値１００［ｃｄ／ｍ２］より高い輝度で表示できる映像表示装置も増えている。
【０００３】
特許文献１には、ＨＤＲ対応ソース機器において、高輝度ＳＤＲ映像対応映像表示装置にＨＤＲ映像を表示させるためのダイナミックレンジを変換する方法が開示されている。この変換方法では、映像表示装置の表示可能輝度に合わせて、ＨＤＲ映像のダイナミックレンジ変換を行い、該ダイナミックレンジ変換後の映像をＳＤＲ映像の逆ＥＯＴＦで変換して映像表示装置に映像信号を伝送する。ＥＯＴＦは、Electro-Optical Transfer Functionの略語である。映像表示装置では、逆ＥＯＴＦ変換後の映像に対して通常の映像信号処理を行うだけで、１００［ｃｄ／ｍ２］より高く拡張された表示可能輝度までの高輝度映像を表示することができる。また、同特許文献には、表示可能輝度が不明な場合に備えて、ユーザに表示可能輝度を調整させるメニュー画面とその確認用のサンプル画像の表示も行えることが開示されている。
【先行技術文献】
【特許文献】
【０００４】
【特許文献１】特開２０１７−０５０８４０号公報
【発明の概要】
【発明が解決しようとする課題】
【０００５】
特許文献１にて開示された変換方法は、十分な表示可能輝度を有さないＨＤＲ映像対応映像像表示装置に対しても適用可能である。しかしながら、ユーザがダイナミックレンジ調整を行う場合において、サンプル画像を見易いように調整できたとしても、そのダイナミックレンジ調整が入力されているＨＤＲ映像に好適であるか否かをユーザが判断することが難しい。
【０００６】
また、表示輝度の調整をすることでより好適な視環境を得ることが可能な場合もあるが、ユーザはそのことに気付けなかったり、気が付いたとしてもどのように表示輝度を調整するのかが分からなかったりする。
【０００７】
本発明は、ＨＤＲ映像等を表示する際のユーザによるダイナミックレンジおよび表示輝度の調整の利便性を向上させることが可能な映像表示装置を提供する。
【課題を解決するための手段】
【０００８】
本発明の一側面としての映像表示装置は、映像を表示する表示手段と、第１のダイナミックレンジが規定された入力映像が入力される入力手段と、第１のダイナミックレンジを、該第１のダイナミックレンジより最大輝度が低い第２のダイナミックレンジに変換する変換手段と、第２のダイナミックレンジの最大輝度のユーザ設定値であるユーザ設定最大輝度を取得する設定輝度取得手段と、表示手段に対する表示条件のユーザ設定値であるユーザ設定表示条件を取得する設定条件取得手段と、ユーザ設定表示条件において表示手段がユーザ設定最大輝度を表示した際の表示輝度である最大表示輝度を取得する表示輝度取得手段と、ユーザ設定に用いられる設定画面を生成して表示手段に表示させる設定画面生成手段とを有する。設定画面は、その同一画面内に、ユーザ設定最大輝度のユーザ設定に用いられる第１の設定領域と、ユーザ設定表示条件のユーザ設定に用いられる第２の設定領域とを含むことを特徴とする。
【０００９】
また、本発明の他の一側面としての映像表示装置は、映像を表示する表示手段と、第１のダイナミックレンジが規定された入力映像と該入力映像の輝度に関する情報を含むデータとが入力される入力手段と、第１のダイナミックレンジを、該第１のダイナミックレンジより最大輝度が低い第２のダイナミックレンジに変換する変換手段と、表示手段に対して設定された表示条件において該表示手段が第２のダイナミックレンジの最大輝度を表示した際の表示輝度である最大表示輝度を取得する表示輝度取得手段と、最大表示輝度と入力映像の輝度に関する情報とを用いて、表示条件および第２のダイナミックレンジの最大輝度のうち少なくとも一方を制御する制御手段とを有することを特徴とする。
【００１０】
また、本発明の他の一側面としての制御方法は、映像を表示する表示手段を有し、第１のダイナミックレンジが規定された入力映像が入力される映像表示装置に適用される。該制御方法は、第１のダイナミックレンジを、該第１のダイナミックレンジより最大輝度が低い第２のダイナミックレンジに変換する処理と、第２のダイナミックレンジの最大輝度のユーザ設定値であるユーザ設定最大輝度を取得する処理と、表示手段に対する表示条件のユーザ設定値であるユーザ設定表示条件を取得する処理と、ユーザ設定表示条件において表示手段がユーザ設定最大輝度を表示した際の表示輝度である最大表示輝度を取得する処理と、ユーザ設定に用いられる設定画面を生成して表示手段に表示させる処理とを含む。設定画面は、その同一画面内に、ユーザ設定最大輝度のユーザ設定に用いられる第１の設定領域と、ユーザ設定表示条件のユーザ設定に用いられる第２の設定領域とを含むことを特徴とする。
【００１１】
さらに本発明の他の一側面としての制御方法は、映像を表示する表示手段を有し、第１のダイナミックレンジが規定された入力映像と該入力映像の輝度に関する情報を含むデータとが入力される映像表示装置に適用される。該制御方法は、第１のダイナミックレンジを、該第１のダイナミックレンジより最大輝度が低い第２のダイナミックレンジに変換する処理と、表示手段に対して設定された表示条件において該表示手段が第２のダイナミックレンジの最大輝度を表示した際の表示輝度である最大表示輝度を取得する処理と、最大表示輝度と入力映像の輝度に関する情報とを用いて、表示条件および第２のダイナミックレンジの最大輝度のうち少なくとも一方を制御する処理とを含むことを特徴とする。
【００１２】
なお、映像表示装置のコンピュータに、上記制御方法に従う処理を実行させるコンピュータプログラムも、本発明の他の一側面を構成する。
【発明の効果】
【００１３】
本発明によれば、ＨＤＲ映像等の映像を表示する際のユーザによるダイナミックレンジおよび表示輝度の調整の利便性を向上させることができる。
【図面の簡単な説明】
【００１４】
【図１】本発明の実施例１である映像表示装置の構成を示すブロック図。
【図２】実施例１におけるガンマ部の設定カーブの例を示す図。
【図３】実施例１における入出力輝度調整メニューの例を示す図。
【図４】実施例１における入出力輝度調整の例を示す図。
【図５】本発明の実施例２における入出力輝度調整メニューの例を示す図。
【図６】実施例２における入出力輝度調整の例を示す図。
【図７】本発明の実施例３である映像表示装置の構成を示すブロック図。
【図８】実施例における入出力輝度調整メニューの例を示す図。
【図９】本発明の実施例４である映像表示装置の構成を示すブロック図。
【図１０】実施例４における入出力輝度制御部が行う処理を示すフローチャート。
【発明を実施するための形態】
【００１５】
以下、本発明の実施例について図面を参照しながら説明する。
【実施例１】
【００１６】
図１は、本発明の実施例１である映像表示装置の構成を示している。映像表示装置には、プロジェクタ（画像投射装置）や直視型ディスプレイが含まれる。
【００１７】
本実施例の映像表示装置は、映像入力部１、ガンマ部２、メタデータ取得部３、ＯＳＤ重畳部４、表示部５、ガンマ制御部６、表示輝度制御部７、表示輝度取得部８、入出力輝度調整メニュー部９および操作部１０を有する。ガンマ部２、メタデータ取得部３、ＯＳＤ重畳部４、ガンマ制御部６、表示輝度制御部７、表示輝度取得部８および入出力輝度調整メニュー部９は、単一または複数のＣＰＵやＭＰＵ等のコンピュータにより構成され、コンピュータプログラムに従ってそれぞれの処理を実行する。
【００１８】
映像入力部（入力手段）１は、Ｕｌｔｒａ  ＨＤ  Ｂｌｕ−Ｒａｙプレーヤやコンピュータ等から映像信号として入力されるＨＤＲ映像（入力映像）を受信するための端子、例えばＨＤＲ映像の送受信が規格として定義されているＨＤＭＩ（登録商標）端子を有する。なお、ＨＤＭＩは例にすぎず、ＤｉｓｐｌａｙＰｏｒｔ等、ＨＤＲ映像や後述するメタデータの送受信が行えれば他の規格の端子であってもよい。ＨＤＲ映像に対しては、コード値と輝度の関係を示すＥＯＴＦ(Electro-Optical Transfer Function)が規定されている。このＥＯＴＦとして、ＨＤＭＩでは、米国映画テレビ技術者協会（ＳＭＰＴＥ）で規格化されたＳＭＰＴＥ  ＳＴ２０８４が採用されている。ＳＴ２０８４では、１０，０００ｎｉｔｓまでの輝度に対するコード値が規定されている。本実施例では、ＳＴ２０８４のＥＯＴＦを前提として説明するが、他のＥＯＴＦであってもよい。
【００１９】
ガンマ部２は、ルックアップテーブルを備え、映像入力部１から入力されたＨＤＲ映像のＥＯＴＦを基準ＥＯＴＦに変換し、該基準ＥＯＴＦに変換された映像を出力する。ＨＤＲ映像のＥＯＴＦは、ＨＤＲ映像に対して定義された第１のダイナミックレンジに対する第１のＥＯＴＦに相当する。基準ＥＯＴＦは、第１のダイナミックレンジより最大輝度が低い第２のダイナミックレンジに対して規定された第２のＥＯＴＦに相当する。基準ＥＯＴＦは、ガンマ制御部６により設定される映像表示装置内で基準とするＥＯＴＦであり、本実施例では基準ＥＯＴＦをＳＤＲ映像のＥＯＴＦであるガンマ２．２のカーブとする。ガンマ部２とガンマ制御部６により変換手段が構成される。
【００２０】
なお、ガンマ２．２は例にすぎず、ガンマ２．４や表示部５の特性を考慮した全く別のカーブであってもよい。ただし、ルックアップテーブルは、階調潰れを生じないように、ＲＧＢの各色について２ビット以上、階調（輝度）を拡張できることが好ましい。
【００２１】
メタデータ取得部３は、映像入力部１からのＨＤＲ映像に対する付加情報として入力されるメタデータから、該ＨＤＲ映像の輝度に関する情報を読み取る。輝度に関する情報としては、全米民生技術協会（ＣＴＡ）で規格化された８６１．３Ａにて定義されるＭａｘＣＬＬ（Maximum Content Light Level)やＭａｘＦＡＬＬ（Maximum Frame-Average-Light Level）が該当する。ただし、ＭａｘＣＬＬやＭａｘＦＡＬＬは例にすぎず、ＨＤＲ映像の輝度に関する情報であれば他の情報であってもよい。メタデータ取得部３は、読み取った輝度に関する情報（以下、輝度情報ともいう）を入出力輝度調整メニュー部９に出力する。
【００２２】
ＯＳＤ重畳部４は、ガンマ部２から出力された映像に対して、入出力輝度調整メニュー部９から出力される入出力輝度調整メニュー画面（設定画面）を示す画像を重畳する。入出力輝度調整メニュー画面は、操作部１０と連携して、ユーザに映像表示装置における後述する輝度に関する設定値を変更する操作を行わせるために表示される。
【００２３】
表示部（表示手段）５は、映像表示装置の種類によって構成が異なる。映像表示装置がプロジェクタ（画像投射装置）である場合は、表示部５は、ＯＳＤ重畳部４からの映像に応じて光変調素子を駆動し、照明手段である光源からの照明光を光変調素子により変調して生成した映像光を投射光学系を通してスクリーン等の被投射面に投射する。これにより、被投射面上に投射映像が表示される。光変調素子としては、液晶パネルやデジタルマイクロミラーデバイス等が用いられる。また、映像表示装置が直視型ディスプレイである場合は、表示部５は、ＯＳＤ重畳部４からの映像に応じて光変調素子を駆動することで、映像表示面（表示画面）に映像を表示する。光変調素子としては、液晶パネルや有機ＥＬ素子等が用いられる。
【００２４】
また表示部５は、光変調素子のＶＴ（入力電圧に対する表示輝度）特性に応じた基準ＥＯＴＦから光変調素子に印加する電圧への変換も行う。さらに、表示部５は種々の表示条件（表示パラメータまたは表示状態ともいう）で表示が可能である。ここにいう表示条件とは、表示される映像の輝度である表示輝度（出力輝度）を変化させる条件であり、プロジェクタでは光源の発光強度（光量）や、投射光学系の絞り値、ズーム位置およびフォーカス位置等である。また、直視型液晶ディスプレイでは、バックライトの発光強度が表示条件に含まれる。本実施例では、光源やバックライトの発光強度の度合いを照明輝度レベルという。照明輝度レベルは、表示輝度制御部７によって制御される。
【００２５】
上述したＳＴ２０８４は１０，０００ｎｉｔｓまでの輝度に対応しているが、実際にはそこまでの輝度が必要とされるケースは少なく、多くの場合は１，０００〜３，０００ｎｉｔｓで十分である。そこで本実施例では、映像表示装置としての最大出力輝度を３，０００ｎｉｔｓとする。そして、操作部１０を通じてユーザが設定したユーザ設定値としての表示条件（ユーザ設定表示条件）に応じて出力輝度を調整する出力輝度調整が可能である。つまり、表示部５に入力される階調が同じであっても、出力輝度調整がなされることによって出力輝度が変化する。
【００２６】
ガンマ制御部（設定輝度取得手段）６は、操作部１０を通じて入力されるユーザ設定値としての入力階調閾値に応じて、ガンマ部２のルックアップテーブルに設定するガンマカーブを生成する。ＳＴ２０８４のＥＯＴＦは絶対輝度でコード化されているため、表示輝度を超える入力輝度（入力階調）をクリッピングするか圧縮する必要がある。本実施例では、説明を簡単にするため、表示輝度を超える入力階調をクリッピングする。このため、ガンマ制御部６がガンマ部２に対して設定するガンマカーブは、上記入力階調閾値（ユーザ設定最大輝度であり、以下、クリッピング閾値という）より高いレンジをクリッピングするカーブとして生成される。一方、クリッピング閾値以下のレンジは、ガンマ２．２のＥＯＴＦに合うようにマッピングする（ＳＴ２０８４のＥＯＴＦにガンマ２．２の逆ガンマを掛け合わせたカーブ）として生成される。クリッピング閾値は、クリッピングされない最大入力階調である。
【００２７】
ガンマ制御部６が生成するガンマカーブについて図２を用いて説明する。図２は、ガンマ部２に対して設定する入力階調と出力階調（輝度）との関係を示す５種類のガンマカーブ２ａ〜２ｅを示している。前述したように本実施例では入力階調に対して出力階調は２ビット拡張しているため、入力が１０ビットで出力が１２ビットとなっている。
【００２８】
ガンマカーブ２ａは、１００ｎｉｔｓのガンマカーブであり、１００ｎｉｔｓに相当するコード値（入力階調）で出力階調が最大値となり、それ以下のコード値に対して入力階調と出力階調の関係がＳＴ２０８４のＥＯＴＦにガンマ２．２の逆ガンマを掛け合わせたカーブとなるように設定されている。
【００２９】
同様に、ガンマカーブ２ｂ、２ｃ、２ｄ、２ｅはそれぞれ、５００ｎｉｔｓ、１０００ｎｉｔｓ、２０００ｎｉｔｓ、３０００ｎｉｔｓに相当するコード値で出力階調が最大値となり、それ以下のコード値に対してはＳＴ２０８４のＥＯＴＦにガンマ２．２の逆ガンマを掛け合わせたカーブとなるように設定されている。このため、仮にプロジェクタとしての出力輝度が２，０００ｎｉｔｓになるように表示部５の照明輝度レベルが調整された場合には、ＳＴ２０８４のＥＯＴＦで入力された映像の２，０００ｎｉｔｓ以下の階調が忠実な輝度で映像出力されることとなる。
【００３０】
なお、図２に示した１００ｎｉｔｓ〜３，０００ｎｉｔｓの５種のガンマカーブは例であり、ガンマ制御部６が生成するガンマカーブの数や範囲は上記例以外であってもよい。また、２台のプロジェクタから同じ被投射位置に映像を投射することによって表示輝度を２倍にすることも可能であるため、ガンマ制御部６で生成するガンマカーブのクリッピング閾値の最大値が各プロジェクタの最大出力輝度を上回ってもよい。
【００３１】
また、ガンマカーブの生成方法としては、ガンマ部２のルックアップテーブルの設定ポイントの設定値を予め制御プログラム内に配列としてガンマカーブの数分保有しておく方法や、演算式により生成する方法等、種々の方法がある。
【００３２】
表示輝度制御部（設定条件取得手段）７は、操作部１０を通じて照明輝度レベルのユーザ設定値（ユーザ設定表示条件）を取得し、表示部５における照明輝度レベルを１０〜１００％の範囲において１％単位で制御（調整）する。照明輝度レベルの範囲や単位は例にすぎず、他の範囲や単位であってもよい。また、表示部５により表示される映像の表示輝度と照明輝度レベルとの関係は線形であってもよいし非線形であってもよい。
【００３３】
表示輝度取得部（表示輝度取得手段）８は、表示輝度制御部７により変更される様々な照明輝度レベル（つまりは表示条件）に応じた映像表示装置の最大表示輝度を取得して、入出力輝度調整メニュー部９に出力する。最大表示輝度とは、ＯＳＤ重畳部４から表示部５に全白映像（全体の階調が最大である映像）が入力されたときの表示画面の輝度値を示す。
【００３４】
表示輝度取得部８は、例えば、様々な照明輝度レベルに対応付けた最大表示輝度を予め不図示の不揮発メモリ等の記憶部に保持しておき、該記憶部から実際の照明輝度レベルに対応する最大表示輝度を読み出すことでこれを取得する。この場合、映像表示装置の生産工程において様々な照明輝度レベルに対する最大表示輝度を輝度センサを用いて測定し、その測定結果を記憶部に保存すればよい。また、表示輝度取得部８は、例えば、様々な照明輝度レベルに対応付けた最大表示輝度を算出可能な演算式を用いて、実際の照明輝度レベルに対応する最大表示輝度を算出することでこれを取得してもよい。
【００３５】
入出力輝度調整メニュー部（設定画面生成手段）９は、入力されるＨＤＲ映像の輝度レンジである入力輝度レンジと照明輝度レベルを操作部１０を通じてユーザに調整（設定）させるための入出力輝度調整メニュー画面（設定画面）を生成する。そして、該入出力輝度調整メニュー画面をＯＳＤ重畳部４に出力する。
【００３６】
ＯＳＤ重畳部４は、入出力輝度調整メニュー画面を映像信号に重畳させて表示部５に出力する。入出力輝度調整メニュー画面は、ユーザの調整作業を助けるため、メタデータ取得部３で取得されるＭａｘＣＬＬやＭａｘＦＡＬＬと表示輝度取得部８で取得される最大表示輝度とを、同一画面上で照明輝度レベルとの相対関係が分かるように表示する。
【００３７】
図３は、入出力輝度調整メニュー画面３００の例を示している。入出力輝度調整メニュー画面３００は、入力輝度レンジ欄（第１の設定領域）３０１、照明輝度レベル欄（第２の設定領域）３０２、ＭａｘＦＡＬＬ凡例３０３、ＭａｘＣＬＬ凡例３０４、最大表示輝度凡例３０５および欄選択フレーム３０６を有する。
【００３８】
欄選択フレーム３０６は、入力輝度レンジ欄３０１と照明輝度レベル欄３０２のうち操作待ち状態の項目（設定が可能な項目）を含む欄を囲むように表示される。図３は、入力輝度レンジ欄３０１の項目（入力輝度レンジ３１３）の増減の操作待ち状態を示している。ユーザが操作部１０において上／下ボタンを操作すると、欄選択フレーム３０６が入力輝度レンジ欄３０１を囲む状態と照明輝度レベル欄３０２を囲む状態とに変化する。
【００３９】
入力輝度レンジ欄３０１は、入力輝度レンジインジケータ３１１および入力輝度レンジ調整値３１２を表示する。入力輝度レンジインジケータ３１１は、それぞれ指標として表示される入力輝度レンジ３１３、クリッピングレンジ３１４、ＭａｘＦＡＬＬ値３１５、ＭａｘＣＬＬ値３１６および最大表示輝度値３１７を含む。これらの指標は、入力輝度レンジ（クリッピング閾値）３１３、最大表示輝度値３１７、ＭａｘＦＡＬＬ値３１５およびＭａｘＣＬＬ値３１６の相対関係を示す情報である。
【００４０】
入力輝度レンジ３１３は、入力輝度レンジインジケータ３１１内の白塗り部分として表示され、ＨＤＲ映像の入力輝度レンジのうち表示される（すなわちガンマ部２でクリッピングされない）輝度レンジを示す。クリッピングレンジ３１４は、入力輝度レンジインジケータ３１１内のグレー塗り部分として表示され、入力輝度レンジのうちガンマ部２でクリッピングされる輝度レンジを示す。図３に示すように入力輝度レンジ欄３０１が欄選択フレーム３０６により囲まれた状態でユーザが操作部１０を増加方向に操作する（＋ボタンを押す）と、白塗り部分が広くなってグレー塗部分が狭くなる。また、操作部１０を減少方向に操作する（−ボタンを押す）と、白塗り部分が狭くなってグレー塗部分が広くなる。
【００４１】
入力輝度レンジ調整値３１２は、入力輝度レンジインジケータ３１１と連動して入力輝度レンジ３１３の最大値を数値で表示する。入力輝度レンジ調整値３１２として１０００ｎｉｔｓと表示されている場合は、１０００ｎｉｔｓ以上のコード値が入力されても全て１０００ｎｉｔｓとして処理される。
【００４２】
ＭａｘＦＡＬＬ値３１５およびＭａｘＣＬＬ値３１６はそれぞれ、メタデータ取得部３から取得されたＭａｘＦＡＬＬの値およびＭａｘＣＬＬの値を指標である△と◇で表示する。ＭａｘＦＡＬＬ値３１５およびＭａｘＣＬＬ値３１６は、ＨＤＲ映像のコンテンツが変更されるとそれらの値が変化するため、それに応じて表示位置が左右に移動する。
【００４３】
最大表示輝度値３１７は、表示輝度取得部８から取得された最大表示輝度の値を指標○で表示する。最大表示輝度値３１７は、表示輝度制御部７により照明輝度レベルが変更されるとその値が変化するため、それに合わせて表示位置が左右に移動する。
【００４４】
図３に示した入力輝度レンジ欄３０１は例に過ぎず、入力輝度レンジ３１３、クリッピングレンジ３１４、ＭａｘＦＡＬＬ値３１５、ＭａｘＣＬＬ値３１６および最大表示輝度値３１７の相対関係をユーザに視認させることができる形態で表示すればよい。
【００４５】
照明輝度レベル欄３０２は、照明輝度レベルインジケータ３２１および照明輝度レベル値３２２を表示する。この照明輝度レベルインジケータ３２１は、ユーザ設定が可能な照明輝度レベルの範囲（１０〜１００％）と現在設定されている照明輝度レベル（ユーザ設定表示輝度）との関係をユーザに視認させるように表示する。照明輝度レベル値３２２は、現在のユーザ設定表示輝度を％表現する。照明輝度レベル欄３０２が欄選択フレーム３０６により囲まれた状態でユーザが操作部１０を増加方向に操作すると、照明輝度レベル値３２２が増加するとともに、白塗り部分が広くなってグレー塗部分が狭くなる。そしてこれに伴って、入力輝度レンジインジケータ３１１内の最大表示輝度値３１７が右に移動する。また、操作部１０を減少方向に操作すると、照明輝度レベル値３２２が減少するとともに、白塗り部分が狭くなってグレー塗部分が広くなる。そしてこれに伴って、入力輝度レンジインジケータ３１１内の最大表示輝度値３１７が左に移動する。
【００４６】
図３に示した照明輝度レベル欄３０２は例に過ぎず、他の表示形態を採用してもよい。また、照明輝度レベルを上述したように１％単位設定ではなく、高、中および低のように段階的に設定できるようにしてもよい。
【００４７】
ＭａｘＦＡＬＬの凡例３０３は、入力輝度レンジインジケータ３１１内でのＭａｘＦＡＬＬ値３１５の指標（記号）△と、メタデータ取得部３から取得されたＭａｘＦＡＬＬの値とを表示する。ＭａｘＣＬＬ凡例３０４は、入力輝度レンジインジケータ３１１内でのＭａｘＣＬＬ値３１６の指標◇と、メタデータ取得部３から取得されたＭａｘＣＬＬの値とを表示する。最大表示輝度凡例３０５は、入力輝度レンジインジケータ３１１内での最大表示輝度値３１７の指標○と、表示輝度取得部８から取得された最大表示輝度の値とを表示する。
【００４８】
以上説明したように、本実施例では、ユーザが入力輝度レンジを増減操作するための入力輝度レンジ欄３０１と照明輝度レンジ（最大表示輝度）を増減操作するための照明輝度レベル欄３０２を入出力輝度調整メニュー画面３００という同一画面内に表示させる。これにより、ユーザは入力輝度レンジと最大表示輝度とのバランスを取るための調整を容易に行うことができる。
【００４９】
図３に示す状態では、照明輝度レベル値３２２が８０％であるため、最大表示輝度値３１７が２０００ｎｉｔｓとなっている。これに対して、入力輝度レンジ調整値３１２が１０００ｎｉｔｓであるため、１０００ｎｉｔｓ以下の入力輝度に対する出力輝度が２倍となることを示している。また、ＭａｘＣＬＬの値が１２００ｎｉｔｓであることから、ＨＤＲ映像の最大入力輝度は１２００ｎｉｔｓである。これに対して、入力輝度レンジ調整値３１２が１０００ｎｉｔｓであるため、１０００ｎｉｔｓ以上の入力輝度は飽和し、これにより階調潰れが発生する。ユーザはこの状態から視聴環境や好みに応じて入力輝度レンジ調整値３１２や照明輝度レベル値３２２を増減操作（調整）する。その例として、入力されるＨＤＲ映像に対して忠実な輝度表現を行う場合の調整例を図４を用いて説明する。
【００５０】
図４は、最初の調整である入力輝度レンジインジケータ３１１上での入力輝度レンジ調整と、次の調整である照明輝度レベルインジケータ３２１上での照明輝度レベル調整とを示している。図４の上側の入出力輝度調整メニュー画面３００Ａは最初の入力輝度レンジ調整を示している。ユーザは操作部１０を通じて、入力輝度レンジインジケータ３１１Ａに示すように入力輝度レンジ３１３ＡをＭａｘＣＬＬ値３１６に一致させるように増加させる。これにより、入力輝度レンジ調整値３１２ＡはＭａｘＣＬＬ凡例３０４に示されたＭａｘＣＬＬの値１２００ｎｉｔｓと等しくなる。この調整により、最大入力輝度１２００ｎｉｔｓに対する最大表示輝度は２０００ｎｉｔｓ、すなわち約１．６７倍となる。
【００５１】
図４の下側の入出力輝度調整メニュー画面３００Ｂは、次の照明輝度レベル調整を示している。ユーザは操作部１０の下ボタンを操作して、欄選択フレーム３０６Ｂを照明輝度レベル欄３０２を囲む位置に移動させる。この後、ユーザは操作部１０を操作して、最大表示輝度値３１７ＢがＭａｘＣＬＬ値３１６と同じ位置に移動するまで照明輝度レベル値３２２Ｂを減少させる。この例では、照明輝度レベル値３２２Ｂが５０％まで減少したときに最大表示輝度値３１７ＢがＭａｘＣＬＬ値３１６と同じ位置に達する。
【００５２】
以上の調整を行うことで、最大入力輝度１２００ｎｉｔｓに一致する最大表示輝度１２００ｎｉｔｓを設定することができる。この結果、入力輝度と表示輝度とが互いに等しくなるため、入力されるＨＤＲ映像に対して忠実な輝度表現がなされた表示映像を再現することができる。
【００５３】
本実施例では、入力輝度レンジインジケータ３１１上に最大表示輝度値３１７を表示したが、照明輝度レベルインジケータ３２１上に入力輝度レンジを照明輝度レベルとの相対関係を示すように表示してもよい。また、ＭａｘＦＡＬＬ値３１５とＭａｘＣＬＬ値３１６についても同様に、照明輝度レベルインジケータ３２１上に照明輝度レベルとの相対関係を示すように表示してもよい。
【００５４】
さらに、本実施例では、ＭａｘＣＬＬ値、ＭａｘＦＡＬＬ値および最大表示輝度値の全てを表示しているが、必ずしもこれらの値は表示しなくてもよい。すなわち、これらの値を表示しなくても、入力輝度レンジ欄と照明輝度レベル欄を同一メニュー画面に表示すれば、ユーザによる入出力輝度調整の利便性を向上させることができる。
【実施例２】
【００５５】
図５は、本発明の実施例２である映像表示装置の入出力輝度調整メニュー部９が生成する入出力輝度調整メニュー画面を示す。入出力輝度調整メニュー画面以外の映像表示装置の構成は実施例１と同じであるため、共通する構成要素についての説明は省略する。本実施例では、ユーザの操作性（利便性）をより向上させるために、入出力輝度調整メニュー画面を、その横方向に入力輝度レンジを示し、縦方向に最大表示輝度レベルを示す２次元メニュー画面として表示する。さらに、入力輝度と表示輝度（出力輝度）との関係を示すグラフを表示する。
【００５６】
図５に示した入出力輝度調整メニュー画面５００は、２次元メニュー部５０１、ＭａｘＦＡＬＬ凡例３０３およびＭａｘＣＬＬ凡例３０４を含む。２次元メニュー部５０１以外の表示要素は実施例１と同様であり、それらの説明を省略する。
【００５７】
２次元メニュー部５０１は、横方向にて入力輝度レンジを表示する入力輝度レンジ欄５１０、縦方向にて最大表示輝度レベルを表示する最大表示輝度レベル欄５２０および入出力輝度グラフ５３０を含む。
【００５８】
入力輝度レンジ欄５１０は、入力輝度レンジインジケータ３１１、入力輝度レンジ調整値３１２、増加アイコン５１４および減少アイコン５１３を含む。入力輝度レンジインジケータ３１１および入力輝度レンジ調整値３１２は、実施例１において図１を用いて説明したものと同じである。増加アイコン５１４は、操作部１０の右ボタンを操作することで、入力輝度レンジインジケータ３１１の入力輝度レンジ（白塗り部分）３１３を増加させることができることを表示する。減少アイコン５１３は、操作部１０を左ボタンを操作することで、入力輝度レンジ３１３を減少方向に操作できることを表示する。
【００５９】
最大表示輝度レベル欄５２０は、最大表示輝度レベルインジケータ５２１、最大表示輝度レベル調整値５２２、増加アイコン５２３および減少アイコン５２４を含む。最大表示輝度レベルインジケータ５２１は、表示輝度取得部８から取得される最大表示輝度値の現在値５２５、下限値および上限値を表示する。最大表示輝度値の下限値および上限値は、必ずしも本映像表示装置において設定が可能な下限値および上限値でなくてもよく、ユーザが任意に設定してもよい。最大表示輝度レベル調整値５２２は、最大表示輝度レベルインジケータ５２１と連動して最大表示輝度値の現在値を数値で表示する。
【００６０】
増加アイコン５２３は、操作部１０の上ボタンを操作することで最大表示輝度値、つまりは表示輝度制御部７が制御する照明輝度レベルを増加させることができることを表示する。減少アイコン５２４は、操作部１０の下ボタンを操作することで最大表示輝度値（照明輝度レベル）を減少させることができることを表示する。
【００６１】
ユーザの操作感を良好にするために、操作部１０の上／下ボタンの操作回数と入力輝度レンジ３１３の増減とを比例関係にすることが好ましい。このため、表示輝度制御部７に対する照明輝度レベルの設定値と表示輝度取得部８から取得される最大表示輝度値の現在値との関係を示すルックアップテーブルや数式を用意して、表示輝度制御部７に対する照明輝度レベルの増減量を適切に制御することが好ましい。ただし、操作感を損なわなければ、そのような比例関係は必ずしも必要ではない。
【００６２】
入出力輝度グラフ５３０は、入出力輝度の関係を示すグラフ線５３１、ＭａｘＦＡＬＬ値５３３およびＭａｘＣＬＬ値５３４を含む。グラフ線５３１は、ＨＤＲ映像の入力輝度と表示部５の表示輝度との関係を表示する。本実施例では、実施例１で図２を用いて説明した単純にクリッピング閾値を超える入力階調をクリッピングするガンマカーブを用いる。このため、グラフ線５３１は、入力輝度レンジ調整値３１２以下の入力階調（入力輝度）に対して、最大表示輝度レベル調整値５２２／入力輝度レンジ調整値３１２の傾きを有する傾斜直線となる。また、グラフ線５３１は、入力輝度レンジ調整値３１２を超える入力輝度に対して最大表示輝度レベル調整値５２２を示す水平直線となる。図２に示したガンマカーブのように単純なクリッピングを行わずに入力階調を圧縮する場合は、その圧縮に応じたグラフ線を表示する。
【００６３】
操作部１０の右ボタンの操作によって入力輝度レンジ調整値３１２が増加すると、グラフ線５３１の水平直線の開始位置が右方向にシフトするとともに、傾斜直線の傾きは小さくなる。操作部１０の左ボタンの操作によって入力輝度レンジ調整値３１２が減少すると、グラフ線５３１の水平直線の開始位置が左方向にシフトするとともに、傾斜直線の傾きは大きくなる。
【００６４】
また、操作部１０の上ボタンの操作によって最大表示輝度レベル調整値５２２が増加すると、グラフ線５３１の水平直線が上方向にシフトするとともに、傾斜直線の傾きは大きくなる。操作部１０の下ボタンの操作によって最大表示輝度レベル調整値５２２が減少すると、グラフ線５３１の水平直線が下方向にシフトするとともに、傾斜直線の傾きは小さくなる。
【００６５】
ＭａｘＦＡＬＬ値５３３とＭａｘＣＬＬ値５３４はそれぞれ、メタデータ取得部３から取得されたＭａｘＦＡＬＬの値とＭａｘＣＬＬの値を指標である△と◇で表示する。図５では、ＭａｘＦＡＬＬ値５３３とＭａｘＣＬＬ値５３４は入力輝度と出力輝度の関係が１：１になる位置に表示されている。これにより、グラフ線５３１との位置関係から、入力輝度に対するゲインの度合いをユーザが視認することができる。ユーザはこの状態から視聴環境や好みに応じて入力輝度レンジ調整値３１２や最大表示輝度レベル調整値５２２を増減操作（調整）する。その例として、入力されるＨＤＲ映像に対して忠実な輝度表現を行う場合の調整例を図６を用いて説明する。
【００６６】
図６は、最初の調整である入力輝度レンジインジケータ３１１上での入力輝度レンジ調整と、次の調整である照明輝度レベルインジケータ３２１上での最大表示輝度調整とを示している。図６の上側の入出力輝度調整メニュー画面５００Ａは最初の入力輝度レンジ調整を示している。ユーザは操作部１０の右ボタンを操作して、入力輝度レンジインジケータ３１１Ａに示すように入力輝度レンジ３１３ＡをＭａｘＣＬＬ値５３４に一致するように増加させる。これにより、入力輝度レンジ調整値３１２ＡはＭａｘＣＬＬ凡例３０４に示されたＭａｘＣＬＬの値１２００ｎｉｔｓと等しくなる。この調整により、最大入力輝度１２００ｎｉｔｓに対する最大表示輝度は２０００ｎｉｔｓ、すなわち約１．６７倍となる。
【００６７】
図６の下側の入出力輝度調整メニュー画面５００Ｂは、次の最大表示輝度調整を示している。ユーザは操作部１０の下ボタンを操作して、最大表示輝度レベルインジケータ５２１Ｂに示すように最大表示輝度レベル５２５ＢがＭａｘＣＬＬ値５３４と同じ位置に移動するまで最大表示輝度値５２２Ｂを減少させる。
【００６８】
以上の調整を行うことで、最大入力輝度１２００ｎｉｔｓに一致する最大表示輝度１２００ｎｉｔｓを設定することができる。この結果、入力輝度と表示輝度とが互いに等しくなるため、入力されるＨＤＲ映像に対して忠実な輝度表現がなされた表示映像を再現することができる。
【００６９】
本実施例では、入力輝度に対して忠実な輝度表現を行うための調整方法について説明した。ただし、他の輝度表現を行うための調整も可能である。例えば、視聴環境が明るい場所である場合に、忠実な輝度表現よりもゲインをかけた表現を好むユーザが存在することもある。このようなユーザは、設定値を単純に目標値に一致させるように調整するのではなく、入力されているＨＤＲ映像がどのような表示映像となって表示されているかを自身の眼で確認しながらフィードバックをかけるように調整する。この場合にも、入力輝度レンジと最大表示輝度レベルを４つのボタン操作のみで調整できる本実施例はユーザの調整を容易にすることができる。
【００７０】
また、本実施例では、ＭａｘＣＬＬ値とＭａｘＦＡＬＬ値の両方を表示しているが、必ずしもこれらの値は表示しなくてもよい。すなわち、これらの値を表示しなくても、入力輝度レンジ欄と最大表示輝度レベル欄を同一画面としての入出力輝度調整メニュー画面内に表示すれば、ユーザによる入出力輝度調整の利便性を向上させることができる。
【００７１】
さらに、本実施例とは異なり、横方向に最大表示輝度レベルを表示し、縦方向に入力輝度レンジを表示してもよい。すなわち、横方向と縦方向のうち一方に最大表示輝度レベルを表示し、他方に入力輝度レンジを表示すればよい。
【実施例３】
【００７２】
図７は、本発明の実施例３である映像表示装置の構成を示している。本実施例の映像表示装置はプロジェクタであり、映像入力部１、ガンマ部２、メタデータ取得部３、ＯＳＤ重畳部４、表示部５０、ガンマ制御部６、表示輝度制御部７０、表示輝度取得部８１、入出力輝度調整メニュー部９１および操作部１０を有する。映像入力部１、ガンマ部２、メタデータ取得部３、ＯＳＤ重畳部４およびガンマ制御部６は、実施例１（図１）にて説明したものと同じであるため、それらの説明は省略する。
【００７３】
表示部５０は、照明ユニット５１、光変調パネル５２および投射レンズユニット５３を有する。照明ユニット５１は、照明光源およびその駆動回路を有し、照明光源から発せられる照明光の強度を変更可能である。照明光源としては、ＬＥＤ、レーザーダイオード（ＬＤ）および超高圧水銀ランプ等を用いることができる。光変調パネル５２は、液晶パネルやデジタルマイクロミラーデバイス等であり、その画素ごとに入力映像の階調に応じて照明光を変調する。投射レンズユニット５３は、変倍（ズーム）およびフォーカス機能を有するとともに、投射レンズユニット５３の光軸に直交する方向である水平／垂直方向へのレンズシフト機能を有し、光変調パネル５２で変調された映像光をスクリーン等の被投射面に拡大投射する。
【００７４】
表示輝度制御部７０は、照明制御部７１およびレンズ制御部７２を有し、表示部５０により被投射面上に表示される投射映像の輝度を調整する。照明制御部７１は、後述する入出力輝度調整メニュー部９１からの照明輝度レベル調整要求に応じて、照明ユニット５１の照明輝度レベルを制御する。本実施例でも、実施例１と同様に、照明輝度レベルを１０〜１００％の範囲において１％単位で制御する。照明輝度レベルの範囲や単位は例にすぎず、他の範囲や単位であってもよい。また、表示部５０により表示される投射映像の表示輝度と照明輝度レベルとの関係は線形であってもよいし非線形であってもよい。
【００７５】
レンズ制御部７２は、入出力輝度調整メニュー部９１からのズーム調整要求、フォーカス調整要求、水平シフト調整要求および垂直シフト調整要求に応じて、投射レンズユニット５３のズーム制御、フォーカス制御、水平シフト制御および垂直シフト制御を行う。
【００７６】
被投射面上での表示輝度は、該投射面への投射映像のサイズ（投射面積ともいい、以下、投射サイズという）と相関がある。また、投射サイズは、プロジェクタと被投射面との間の距離（以下、投射距離という）と投射レンズユニット５３のズーム倍率（ズーム位置）に相関がある。さらに、投射距離は、投射映像のピントが合っている場合はフォーカスレンズの位置（フォーカス位置）と相関がある。また、被投射面上での表示輝度は、投射レンズユニット５３の水平および垂直シフト位置に応じて変化する。
【００７７】
したがって、被投射面上での最大表示輝度は、投射レンズユニット５３の状態を示す４つのレンズパラメータ、すなわちズーム位置、フォーカス位置、水平および垂直シフト位置に関連付けることができる。
【００７８】
被投射面上の表示輝度は照明ユニット５１の照明輝度レベルにも相関があるが、照明輝度レベルの調整と表示輝度の関係と、投射レンズユニット５３の状態と表示輝度の関係とは別々に考えることができる。本実施例では、投射レンズユニット５３は上記４つのレンズパラメータに依存した透過率を有するものとして扱う。表示輝度が最大となる４つのレンズパラメータの組み合わせを透過率１００％とすると、何れかのレンズパラメータを変更すると透過率は低下する。４つのレンズパラメータと透過率との関係は、投射レンズユニット５３の設計上で定まるため、レンズ制御部７２にて演算（演算方法の説明は省略する）により求めることができる。
【００７９】
以下の説明において、それぞれ表示輝度に相関がある（つまりは影響する）照明輝度レベルと上記４つのレンズパラメータとをまとめて表示条件ともいう。
【００８０】
表示輝度取得部８１は、照明制御部７１から取得される現在の照明輝度レベルとレンズ制御部７２から取得される投射レンズユニット５３の現在の透過率とを用いて、表示部５０における現在の最大表示輝度を求め、これを入出力輝度調整メニュー部９１に出力する。表示輝度取得部８は、例えば、透過率１００％における様々な照明輝度レベルに対応付けた最大表示輝度を予め不図示の不揮発メモリ等の記憶部に保持しておき、該記憶部から実際の照明輝度レベルに対応する最大表示輝度を読み出すことでこれを取得する。そして、読み出した最大表示輝度に透過率を乗ずることで、該透過率に応じた最大表示輝度を求めることができる。
【００８１】
この場合、プロジェクタの生産工程において様々な照明輝度レベルに対する最大表示輝度を輝度センサを用いて測定し、その測定結果を記憶部に保存すればよい。また、表示輝度取得部８は、例えば、様々な照明輝度レベルに対応付けた最大表示輝度を算出可能な演算式を用いて、実際の照明輝度レベルに対応する最大表示輝度を算出することでこれを取得してもよい。また、プロジェクタに輝度センサを備え、表示部に全白映像を表示させ、輝度センサで最大表示輝度を測定してもよい。
【００８２】
入出力輝度調整メニュー部９１は、ユーザが操作部１０を通じて、ＨＤＲ映像の入力輝度レンジ、照明輝度レベルおよびレンズパラメータを調整（設定）する際に見る入出力輝度調整メニュー画面を生成する。そして、該入出力輝度調整メニュー画面をＯＳＤ重畳部４に出力して、入出力輝度調整メニュー画面を映像信号に重畳させて表示部５に出力させる。本実施例の入出力輝度調整メニュー部９１は、実施例１の入出力輝度調整メニュー部９と、投射レンズユニット５３の状態を調整できるメニューを有する点で異なる。
【００８３】
図８は、本実施例における入出力輝度調整メニュー画面８００を示す。入出力輝度調整メニュー画面８００は、入力輝度レンジ欄８１０、照明輝度レベル欄８２０、ズーム欄８３０、フォーカス欄８４０、垂直レンズシフト欄８５０、水平レンズシフト欄８６０、レンズ透過率８０７、欄選択フレーム８０６および凡例８７０を含む。
【００８４】
欄選択フレーム８０６は、入力輝度レンジ欄８０１、照明輝度レベル欄８２０、ズーム欄８３０、フォーカス欄８４０、垂直レンズシフト欄８５０、水平レンズシフト欄８６０およびレンズ透過率８０７のうち操作待ち状態の項目を含む欄を囲むように表示される。図８は、入力輝度レンジ欄８１０の項目（入力輝度レンジ３１３）の増減の操作待ち状態を示している。操作部１０においてユーザが上／下ボタンを操作すると、欄選択フレーム８０６が上記６つの欄８０１、８２０、８３０、８４０、８５０、８６０およびレンズ透過率８０７のいずれかを囲む状態に変化する。
【００８５】
入力輝度レンジ欄８１０は、入力輝度レンジインジケータ３１１および入力輝度レンジ調整値３１２を含む。入力輝度レンジインジケータ３１１は、それぞれ指標として表示される入力輝度レンジ３１３、クリッピングレンジ３１４、ＭａｘＦＡＬＬ値３１５、ＭａｘＣＬＬ値３１６および最大表示輝度値８１７を含む。入力輝度レンジ３１３、クリッピングレンジ３１４、ＭａｘＦＡＬＬ値３１５およびＭａｘＣＬＬ値３１６は実施例１と同じであるため、それらの説明は省略する。最大表示輝度値８１７は、表示輝度取得部８１から取得された最大表示輝度値の値を指標○で表示する。最大表示輝度値８１７は、照明輝度レベル、ズーム位置、フォーカス位置、垂直シフト位置および水平シフト位置の何れかが変更されるとその値も変化するため、それに合わせて表示位置が左右に移動する。
【００８６】
照明輝度レベル欄８２０は、照明輝度レベルインジケータ８２１および照明輝度レベル値８２２を含む。照明輝度レベルインジケータ８２１および照明輝度レベル値８２２はそれぞれ、実施例１で説明した照明輝度レベルインジケータ３２１および照明輝度レベル値３２２は表示輝度制御部７で調整を行うのに対して、照明制御部７１により照明輝度レベルの調整を行っている点でのみ異なる。
【００８７】
ズーム欄８３０は、ズームレンズ調整インジケータ８３１を含む。ズーム欄８３０が欄選択フレーム８０６により囲まれた状態でユーザが操作部１０を増加（＋）方向に操作すると、該インジケータ８３１の白塗り部分が広くなるとともに、レンズ制御部７２により投射サイズが拡大するように投射レンズユニット５３のズーム位置が変更される。ユーザが操作部１０を減少（−）方向に操作すると、該インジケータ８３１の白塗り部分が狭くなるとともに、レンズ制御部７２により投射サイズが縮小するように投射レンズユニット５３のズーム位置が変更される。さらにこれらのそれぞれにおいて、最大表示輝度値８１７およびレンズ透過率８０７の値が変化する。
【００８８】
フォーカス欄８４０は、フォーカスレンズ調整インジケータ８４１を含む。フォーカス欄８４０が欄選択フレーム８０６により囲まれた状態でユーザが操作部１０を増加方向に操作すると、該インジケータ８４１の白塗り部分が広くなるとともに、レンズ制御部７２によりピント位置が遠ざかるようにフォーカス位置が変更される。ユーザが操作部１０を減少方向に操作すると、該インジケータ８４１の白塗り部分が狭くなるとともに、レンズ制御部７２によりピント位置が近づくようにフォーカス位置が変更される。さらにこれらのそれぞれにおいて、最大表示輝度値８１７およびレンズ透過率８０７の値が変化する。
【００８９】
垂直レンズシフト欄８５０は、垂直レンズシフト調整インジケータ８５１を含む。垂直レンズシフト欄８５０が欄選択フレーム８０６により囲まれた状態でユーザが操作部１０を増加方向に操作すると、該インジケータ８５１の白塗り部分が広くなるとともに、レンズ制御部７２により投射レンズユニット５３の垂直シフト位置が上方に移動される。ユーザが操作部１０を減少方向に操作すると、該インジケータ８５１の白塗り部分が狭くなるとともに、レンズ制御部７２により投射レンズユニット５３の垂直シフト位置が下方に移動される。さらにこれらのそれぞれにおいて、最大表示輝度値８１７およびレンズ透過率８０７の値が変化する。
【００９０】
水平レンズシフト欄８６０は、水平レンズシフト調整インジケータ８６１を含む。水平レンズシフト欄８６０が欄選択フレーム８０６により囲まれた状態でユーザが操作部１０を増加方向に操作すると、該インジケータ８６１の白塗り部分が広くなるとともに、レンズ制御部７２により投射レンズユニット５３の水平シフト位置が右方に移動される。ユーザが操作部１０を減少方向に操作すると、該インジケータ８６１の白塗り部分が狭くなるとともに、レンズ制御部７２により投射レンズユニット５３の水平シフト位置が左方に移動される。さらにこれらのそれぞれにおいて、最大表示輝度値８１７およびレンズ透過率８０７の値が変化する。
【００９１】
レンズ透過率８０７は、レンズ制御部７２が求める投射レンズユニット５３の透過率を表示する。凡例８７０は、ＭａｘＦＡＬＬ凡例３０３、ＭａｘＣＬＬ凡例３０４、最大表示輝度凡例３０５を含む。これらの凡例３０３〜３０５は実施例１と同じであるため、これらの説明は省略する。
【００９２】
図８は、入力輝度レンジ３１３とＭａｘＣＬＬ値３１６と最大表示輝度値８１７の位置関係から、入出力輝度比が１：１でないことと、入力されているＨＤＲ映像のコンテンツの明るい部分の階調が飽和していることを示している。これを見たユーザは、視聴環境や自身の好みに応じて、入力輝度レンジと、最大表示輝度値に影響与える表示条件としての照明輝度レベルやレンズパラメータとを調整する。具体的には、おおむね実施例１で説明した通りである。
【００９３】
本実施例によれば、入力輝度レンジ欄８１０と表示条件を表示する欄（８２０、８３０、８４０、８５０、８６０、８０７）が同一の入出力輝度調整メニュー画面８００により表示されるので、ユーザの入力輝度レンジや表示条件の調整に対する利便性を高めることができる。
【００９４】
なお、本実施例では、投射サイズをズーム位置とフォーカス位置から求める場合について説明したが、ユーザが投射サイズを操作部１０を通じて入力してもよい。また実施例２のように、入力輝度レンジインジケータ３１１と照明輝度レベルインジケータ８２１とを、２次元メニュー画面により表示してもよい。
【実施例４】
【００９５】
図９は、本発明の実施例４である映像表示装置の構成を示している。映像表示装置は、映像入力部１、ガンマ部２、メタデータ取得部３、表示部５、ガンマ制御部６、表示輝度制御部７、表示輝度取得部８および入出力輝度制御部９２を有する。入出力輝度制御部９２以外の構成要素は、実施例１と同じであるため。それらの説明は省略する。
【００９６】
入出力輝度制御部（制御手段）９２は、ＨＤＲ映像の入力輝度レンジと照明輝度レベルを、メタデータ取得部３で取得されるＭａｘＣＬＬの値に応じて自動で調整（制御）する。
【００９７】
図１０のフローチャートを用いて、入出力輝度制御部９２が行う入力輝度レンジと照明輝度レベルの自動調整処理について説明する。コンピュータとしての入出力輝度制御部９２は、コンピュータプログラムに従って本処理を実行する。
【００９８】
ステップＳ１では、入出力輝度制御部９２は、表示輝度取得部８から取得した最大表示輝度値と、メタデータ取得部３から取得したＭａｘＣＬＬ値とを比較し、これらがほぼ等しい（小さな所定値以下の差しか有さない）場合はステップＳ６に進み、そうでなければＳ２に進む。
【００９９】
ステップＳ２では、入出力輝度制御部９２は、最大表示輝度値とＭａｘＣＬＬ値とを比較する。入出力輝度制御部９２は、最大表示輝度値がＭａｘＣＬＬ値よりも上記所定値を超えて大きければステップ３に進み、ＭａｘＣＬＬ値が最大表示輝度値より上記所定値を超えて大きければステップＳ４に進む。
【０１００】
ステップＳ３では、入出力輝度制御部９２は、表示輝度制御部７に対して照明輝度レベルの減少を要求して、ステップＳ１に戻る。このときの照明輝度レベルの減少量は、ＭａｘＣＬＬと最大表示輝度値の差にかかわらず同じ量であってもよいし、該差に応じて異ならせてもよい。
【０１０１】
ステップＳ４では、入出力輝度制御部９２は、表示輝度制御部７により制御された照明輝度レベルが１００％に達しているか否かを確認する。入出力輝度制御部９２は、照明輝度レベルが１００％に達している場合はステップＳ６に進み、そうでない場合はステップＳ５に進む。
【０１０２】
ステップＳ５では、入出力輝度制御部９２は、表示輝度制御部７に対して照明輝度レベルの増加を要求して、ステップＳ１に戻る。このときの照明輝度レベルの増加量も、ＭａｘＣＬＬと最大表示輝度値の差にかかわらず同じ量であってもよいし、該差に応じて異ならせてもよい。
【０１０３】
ステップＳ６では、入出力輝度制御部９２は、ガンマ制御部６に対して入力輝度レンジを最大表示輝度値に最も近くなるように、言い換えればクリッピング閾値を最大表示輝度値に合わせる要求を出力する。そして、本処理を終了する。
【０１０４】
本実施例のような入力輝度レンジと照明輝度レベルの自動調整処理を行うことにより、入出力輝度比を１：１に保ちつつ、最大表示輝度値をＭａｘＣＬＬとほぼ等しいか最も近い値に調整することができる。
【０１０５】
なお、本実施例は、実施例１〜３のいずれかと組み合わせて実施することも可能である。これにより、実施例１〜３においてユーザが行った操作の一部を省略することが可能となり、よりユーザの利便性を向上させることができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１０６】
以上説明した各実施例は代表的な例にすぎず、本発明の実施に際しては、各実施例に対して種々の変形や変更が可能である。
【符号の説明】
【０１０７】
１  映像入力部１（入力手段）
２  ガンマ部２（変換手段）
５  表示部
６  ガンマ制御部（レンジ最大値調整手段）
７  表示輝度制御部（表示輝度調整手段）
８  表示輝度取得部（表示輝度取得手段）
９  入出力輝度調整メニュー部（生成手段）
【図１】
2019208129.tif 000003
【図２】
2019208129.tif 000004
【図３】
2019208129.tif 000005
【図４】
2019208129.tif 000006
【図５】
2019208129.tif 000007
【図６】
2019208129.tif 000008
【図７】
2019208129.tif 000009
【図８】
2019208129.tif 000010
【図９】
2019208129.tif 000011
【図１０】
2019208129.tif 000012